(57)【要約】
【課題】自転車のフレームに軸点で取付けられるプレート、該プレートの側面に取り付けられた複数の磁石部を含んでなる固定型自転車の磁気抵抗調節装置を提供する。
【解決手段】磁石部は自転車のアルミホイールの周縁部の側面に設けられる。プレートはプレートを回転させる引っ張り部に接続され、よってアルミホイールに面する磁石部が調節される。誘導部は基板上に設置され、プレートは誘導部によって誘導される。よって、アルミホイールとプレートの間の隙間は変化しない。
【選択図】図１
0003099537.tif 000002
【実用新案登録請求の範囲】
【請求項１】
　基板、該基板の上部に取付けられた柱、該柱より伸びた第１フレームに軸点で接続されたドライビングホイール、該ドライビングホイールに接続されたクランク、該基板上の第２フレームに軸点で接続されたアルミホイール、該アルミホイールと該ドライビングホイールの中心の間に取付けられたベルトと、
　該第２フレームに軸点で接続されたプレート、該プレートの側面に取り付けられた複数の磁石部で該磁石部はアルミホイールの周縁部側面に面するように設けられ、該プレートが該アルミホイールと相関して回転するように該プレートに接続された引っ張り部と、
　該基板上に設置された誘導部、該プレートが回転した時に該誘導部によって誘導される該プレートと、
　を含んでなる磁気抵抗型運動器具。
【請求項２】
　当該誘導部が、当該プレートの側面と接する２つのローラーを備えることを特徴とする請求項１に記載の磁気抵抗型運動器具。
【請求項３】
　当該誘導部が溝部を備え、当該プレートが該溝部にそって移動する突出部を備えることを特徴する請求項１に記載の磁気抵抗型運動器具。
【請求項４】
　当該誘導部が曲線の縁を備え、当該プレートが当該誘導部の該曲線の縁に引っかかり移動するフックを備えることを特徴とする請求項１に記載の磁気抵抗型運動器具。
【考案の詳細な説明】
【技術分野】
【０００１】
　本考案は、プレート部とホイール間の隙間を固定保持するための、ホイールと誘導部と相関して回転する、磁石を有するプレートを含む磁気抵抗調節装置に関する。
【背景技術】
【０００２】
　従来の運動用固定型自転車は、一般的にホイールとホイールに接続されたクランクを含んでなり、使用者はホイールを回転させるためにクランクを操作することが出来る。より効果的なエクササイズ機能を担持するために、抵抗器がホイールに取り付けられ、よって使用者はより負荷のかかったクランク操作を行わなければならず、もって運動となる。従来の磁気抵抗器は、ホイールと多数の磁石部が取り付けられそしてホールの中央の凹所に移動可能なキャリー部を備えている。磁石部とホイールの間隔により磁気抵抗の強弱が決定される。それにもかかわらず、キャリー部がホイールの中央凹所へと移動したときには磁力が強力であるために固着し、さらには変形してしまう。使用者はキャリー部の動きを操作するために多大な力を必要とする。
【考案の開示】
【考案が解決しようとする課題】
【０００３】
　本考案の目的は、ホイールと磁石部の隙間が変化せず、ホイールに面する磁石部の数だけが変化をする固定型自転車用の磁気抵抗調節装置を提供することである。
【課題を解決するための手段】
【０００４】
　本考案の一態様は、基板の上部に取り付けられた柱部を備える基板と、クランクを備えるドライビングホイールを含んでなる、柱部より伸びる第１フレームに軸点で接続された磁気抵抗型運動器具を提供することである。アルミホイールは基板上の第２フレームに軸点で接続され、アルミホイールとドライビングホイールとの間にベルトが接続されている。
【０００５】
　プレートが第２フレームに軸点で接続され、複数の磁石部がプレートの側部に取り付けられている。磁石部はアルミホイール外面の側面に設置されている。引っ張り部はプレートに接続され、よってプレートがアルミホイールと相関的に回転する。誘導部は基板上に設置され、プレートが回転した時、プレートは誘導部によって誘導される。
【考案を実施するための最良の形態】
【０００６】
　以下に図面を用いて、本考案の好適な実施形態を示す。
【０００７】
　図１及び２に示すように、本発明の磁気抵抗型運動器具１０は基板２１と該基板２１の上部に接続された柱１１を含んでなる。ハンドルバー（図示なし）又はハンドルバー様のものが柱１１の上部に接続されている。磁気抵抗装置２０は運動器具１０に接続されており、柱１１からのびる第１フレーム１２と軸点で接続されているドライビングホイール１３を含み、そしてクランク１６はドライビングホイール１３に接続されている。ペダル１５はクランク１６の各端部に接続され、使用者がペダル１５を操作しドライビングホイール１３を回転させる。アルミホイール２５は基板２１上で第２フレーム２２に軸点で接続されており、ベルト１４がアルミホール２５の中心部とドライビングホイール１３の間を接続している。アルミホール２５はドライビングホイール１３の回転時に回転する。
【０００８】
　プレート２６は第２フレーム２２に軸点で接続され、そして複数の磁石部２７がプレート２６の側面に取り付けられる。磁石部２７はアルミホイール２５の周縁部側面に面するように配置され、よってアルミホイール２５回転時に磁気抵抗が発生する。引っ張り部２８はプレート２６のサポートフレーム２６１に引っ掛けられた一端を持ち、引っ張り部２８の止め具２８１が基板２１に取り付けられたもう一方のサポート部２４にはめ込まれている。スプリング２９は引っ張り部２８に固定されており、引っ張り部２８の一端と止め具２８１との間にはめ込まれている。プレート２６は使用者が引っ張り部２８を引っ張った時、アルミホイール２５に相関して回転する。
【０００９】
　誘導部２３は基板２１上に設置され、２つのローラー２３１が誘導部２３に接続されている。ローラー２３１はプレート２６の側面と接し、よってプレート２６がローラー２３１を回転させるために軸を中心に回転され、よって図３に示すように、アルミホイール２５とプレート２６間の隙間と磁石部２７は変化をしない。
【００１０】
　図４に示すように、プレート２６がアルミホイール２５から離れた時、磁石部２７の幾つかがアルミホール２５より離れ、よって磁気抵抗は減少する。図５に示すように、プレート２６が図に示すような位置にある時、全ての磁石部２７は磁気の発生が活性させられる。ローラー２３１は、図６に示すようにボール２３１’に置き換えることもできる。
【００１１】
　図７から図９のように、誘導部２３は溝２３２をもつこともでき、プレート２６が溝２３にはめ込み移動のできる突起部２６２をもつ。その時プレート２６は溝２３２の縁にそって移動し、この場合も隙間が変化することはない。
【００１２】
　図１０、１１のように、誘導部２３の縁は曲線形態であることも可能で、プレート２６はフック２６３をもち、誘導部２３の曲線の縁にそって移動する。図１２に示すように、溝２２１は第２フレーム２２に設けられることも可能で、プレート２６上の突起部２６４は溝２２１にそって移動する。
【００１３】
　図１３から１６では、固定型自転車３０はフォーク３１を備え、アルミホール４１はフォーク３１の間に設置される。磁石部４４をもつプレート４２はフォーク３１上のチューブ３１１に軸点で接続される一端４２１を備え、プレート４２のもう一端にはフック４２２が設けられている。サポート部４２３はプレート４２の中程に設けられ、図２に示すサポートフレーム２６１の役割を果たす。Ｕ字型バー３２はフォーク３１上の２つのチューブ３１１’に接続され、よってプレート４２のフック４２２がＵ字型バー３２に引っ掛けられる。
【００１４】
　本発明による実施形態について、図示と説明をしてきたが、本発明の範囲から逸脱することなく別の実施形態を構成し得ることは、当業者には明らかであろう。
【図面の簡単な説明】
【００１５】
【図１】本考案の固定型自転車の側面図である。
【図２】本考案の磁気抵抗調節装置の斜視図である。
【図３】本考案の誘導部によって変化のないアルミホイールとプレートの隙間を示した上面図である。
【図４】プレートが軸を中心とした移動によりアルミホイールから離れている状態を示す側面図である。
【図５】すべての磁石部がアルミホイールに面している状態の側面図である。
【図６】誘導部のローラーがボールに置き換えられた側面図である。
【図７】誘導部の他の実施形態を示す側面図である。
【図８】図７で用いられたプレートの両面を示す斜視図である。
【図９】図７に示す実施形態において、すべての磁石部がアルミホイールに面している状態を示す側面図である。
【図１０】本考案の誘導部の他の実施形態を示す側面図である。
【図１１】図１０で用いられたプレートを示す斜視図である。
【図１２】本考案の磁気抵抗調節装置のさらなる実施形態を示す斜視図である。
【図１３】本考案の磁気抵抗調節装置が固定型自転車に用いられた状態を示す斜視図である。
【図１４】自転車のフレーム上のＵ字型バーにプレートが引っ掛けられた状態を示す斜視図である。
【図１５】図１３で用いられたプレートを示す斜視図である。
【図１６】プレート上の磁石部が図１３における実施形態のアルミホイールに面している状態を示す上面図である。
【符号の説明】
【００１６】
　１０　　　磁気抵抗型運動器具
　１１　　　柱
　１２　　　第１フレーム
　１３　　　ドライビングホイール
　１４　　　ベルト
　１５　　　ペダル
　１６　　　クランク
　２１　　　基板
　２０　　　磁気抵抗装置
　２２　　　第２フレーム
　２２１　　溝
　２３　　　誘導部
　２３１　　ローラー
　２３１’　ボール
　２３２　　溝
　２４　　　サポート部
　２５　　　アルミホイール
　２６　　　プレート
　２６１　　サポートフレーム
　２６２　　突起部
　２６３　　フック
　２６４　　突起部
　２７　　　磁石部
　２８　　　引っ張り部
　２８１　　止め具
　２９　　　スプリング
　３０　　　固定型自転車
　３１　　　フォーク
　３１１　　チューブ
　３１１’　チューブ
　３２　　　Ｕ字型バー
　４１　　　アルミホイール
　４２　　　プレート
　４２１　　一端
　４２２　　フック
　４２３　　サポート部
【図１】
0003099537.tif 000003
【図２】
0003099537.tif 000004
【図３】
0003099537.tif 000005
【図４】
0003099537.tif 000006
【図５】
0003099537.tif 000007
【図６】
0003099537.tif 000008
【図７】
0003099537.tif 000009
【図８】
0003099537.tif 000010
【図９】
0003099537.tif 000011
【図１０】
0003099537.tif 000012
【図１１】
0003099537.tif 000013
【図１２】
0003099537.tif 000014
【図１３】
0003099537.tif 000015
【図１４】
0003099537.tif 000016
【図１５】
0003099537.tif 000017
【図１６】
0003099537.tif 000018